(57)【特許請求の範囲】
【請求項１】
隣接して配置され、画像を表示する表示領域と、該表示領域を外囲する非表示部とが設けられる複数の表示パネルと、
前記非表示部に設けられ、前記表示領域からの出射光を反射する反射面を有する反射部材とを含み、
前記反射部材は、隣接する各非表示部の一方に固着され、かつ各非表示部の他方に乗載されることを特徴とするマルチディスプレイ装置。
【請求項２】
一方の非表示部に固着された反射部材と他方の非表示部との間には、帯状のスペーサが設けられることを特徴とする請求項１に記載のマルチディスプレイ装置。
【請求項３】
一方の非表示部は、他方の非表示部よりも大きな幅を有することを特徴とする請求項１または２に記載のマルチディスプレイ装置。
【請求項４】
隣接して配置され、画像を表示する表示領域と、該表示領域を外囲する非表示部とが設けられる複数の表示パネルと、
前記非表示部に設けられ、前記表示領域からの出射光を反射する反射面を有する反射部材とを含み、
前記反射部材の反射面は、非表示部の位置毎に表示領域の面に対して異なった角度にて設けられることを特徴とするマルチディスプレイ装置。
【請求項５】
前記反射部材は、三角柱状部材から成り、該三角柱状部材は前記非表示部から突出する２つの表面に前記反射面が形成されることを特徴とする請求項１〜４のいずれか１つに記載のマルチディスプレイ装置。
【請求項６】
前記反射部材は、三角柱状部材から成り、該三角柱状部材は前記非表示部から突出する２つの表面に前記反射面が形成される反射部と、反射部に連なり、各表示パネルの互いに隣接する各側部によって挟持される挟持部とを有することを特徴とする請求項１〜４のいずれか１つに記載のマルチディスプレイ装置。
【請求項７】
前記三角柱状部材は、非表示部に沿って平行に延びる３つの表面を有し、前記３つの表面のうちの１つの表面が前記非表示部に臨んで配置され、残余の２つの表面に前記反射面が形成されることを特徴とする請求項５または６に記載のマルチディスプレイ装置。
【発明の詳細な説明】
【技術分野】
【０００１】
本発明は、複数の表示パネルを隣接して配置し、１つの大画面を構成するマルチディスプレイ装置に関する。
【背景技術】
【０００２】
近年、インフォメーションディスプレイおよび業務用ディスプレイとして、たとえば４台あるいは９台の表示パネルを縦横に隣接して配置し、１つの大きな画面を構成し、１台のパーソナルコンピュータから、ＤＶＩ(Digital Visual Interface)やアナログＲＧＢ（Red Green Blue）映像信号、ＨＤＭＩ(High-Definition Multimedia Interface)などのインターフェイスを経由して接続された各表示パネルへ、１つの画像を分割した画面信号を送ることによって、各表示パネルに画像が個別に表示され、画面全体として一連の画像を表示することができるように構成されている。
【０００３】
このようなマルチディスプレイ装置は、複数の表示パネルによっていわゆるマルチ画面とも称される大形の画面を容易に構築することができるが、各表示パネルの額縁上には画像を表示することができないため、隣接する各表示パネル間の目地または継目などに対応する領域に、表示画面上に線が格子状に入ったように見え、表示品位が低下してしまうという問題がある。
【０００４】
このような問題を解決するための従来技術は、たとえば特許文献１に提案されている。特許文献１に記載される従来技術では、１つの画像を４画面を使用して大きく映し出しているときに、画像を格子状に区切って目障りとなるという問題を解決するために、互いに独立な駆動系を介して映像信号によって駆動される画像表示する複数の画像表示器の表示画面を２次元的に配列して大形画面を形成した多画面表示装置において、表示画面の隣接するもの同士の境界領域に補助表示器を配列したマルチディスプレイ装置が提案されている。
【０００５】
この従来技術では、額縁に設けた補助表示装置に発光ダイオードを用い、非表示領域を挟む画面近傍の平均輝度によって駆動するように構成されている。しかしながら、額縁上で液晶カラー表示素子、発光ダイオード、エレクトロルミネセンスなどの電子部品を制御するため、製造コストが高額となり、かつ消費電力が大きくなるという課題がある。
【０００６】
また、前述のような電子部品を用いず光学的に解決する従来技術は、たとえば特許文献２，３に開示されている。これらの従来技術には、画面上に配置した凸レンズおよび凹レンズを用いて、画面表示光を屈折させ、額縁上まで拡張して表示する構成が提案されている。特許文献２に記載される従来技術では、複数のプラズマディスプレイパネル（Plasma Display Panel、略称ＰＤＰ）を縦横に並べて、各ＰＤＰの表示画面を繋ぎ合わせて１つの大画面として表示するために、各ＰＤＰの前面には、凸レンズ群の行列からなる第１のマルチレンズおよび第２のマルチレンズを配置して、ＰＤＰの表示画面に表示する表示画像の正立像を形成し、第２のマルチレンズの前面には、さらに、凹レンズを配置して、上記の正立像をＰＤＰ等の前面に配置した透過型スクリーン上に拡大して投影し、複数のＰＤＰに表示した画像を連続した１つの画像として表示することができるマルチディスプレイ装置が提案されている。
【０００７】
また特許文献３に記載される従来技術では、画像が投射されるスクリーンが前面に装着されるスクリーンブロックを多段に積み上げて大形の画面を形成してなるマルチ投射型スクリーンにおいて、マルチ画面で生じる目地を目立たなくするため、前記画像が投射される各平行平板スクリーンブロックの光出射側に周辺が凸レンズ構造で中央部が平板であるレンズ状透明スクリーンを装着したマルチディスプレイ装置が提案されている。
【０００８】
しかしながら、これらの特許文献２，３の各従来技術を実施するためには、画面を覆う大きさの凹レンズや、画面と同サイズのアクリル板の側端部をレンズ状に加工する必要があり、大形のディスプレイ装置になるほど高額な部品が必要となる上、表示画面とレンズとの間に熱が蓄積するという問題がある。
【０００９】
さらに他の従来技術として、たとえば特許文献４，５，６には、光ファイバの束を用いて、画面表示を額縁上に偏移させ、非表示部としての額縁を見えなくすることが提案されている。特許文献４に記載される従来技術では、ディスプレイの外周に非表示部（目地）を有するマルチディスプレイ装置において、前記ディスプレイの発光面上に光軸が傾斜した光ファイバプレートを備えたマルチディスプレイ装置が提案されている。
【００１０】
また特許文献５に記載される従来技術では、表示部とこの表示部を囲む額縁とを備えた平板状の表示ユニットの前面に、偏位手段を設け、この偏位手段によって表示ユニットに表示される分割画面を２次元方向に偏位させて分割画面を一体化させることによって、額縁による境界線のない大画面を形成することができるマルチディスプレイ装置が提案されている。
【００１１】
さらに特許文献６に記載される従来技術では、複数の投影機と並列して投影部を設け、これと同様の導光体を投影機と同様に並べてスクリーン部を構成し、導光体の画像光入力端面に、対応する投影機から画像光を投影可能とし、該導光体の反対側の端面である画像光出力端面を、前記画像表示面よりも中心側に偏倚させて、画面内に額縁が生じることない統一画像表示面を形成するマルチディスプレイ装置が提案されている。この従来技術の導光体は、光ファイバを束ねてなり、画像光入力端面１から画像光出力端面の間で光路が、統一画像表示面の中心側寄りに設けられる。
【００１２】
これらの特許文献４〜６に記載される各従来技術では、該従来技術に係るマルチディスプレイ装置を実現するために、画素数に相当する本数の光ファイバの束が必要となり、製造コストが高額になってしまうという問題がある。
【先行技術文献】
【特許文献】
【００１３】
【特許文献１】特開平３−３８９８２号公報
【特許文献２】特開平１０−２２２０９５号公報
【特許文献３】特開２０００−１８０９６４号公報
【特許文献４】特開平９−３７１９４号公報
【特許文献５】特開平１０−３９７８０号公報
【特許文献６】特開２００４−１７７６３２号公報
【発明の概要】
【発明が解決しようとする課題】
【００１４】
本発明の目的は、簡単な構成でかつ安価な製造コストで、熱の蓄積を生じず、額縁などの非表示部に起因する画像品位の低下を防止することができるマルチディスプレイ装置を提供することである。
【課題を解決するための手段】
【００１５】
本発明は、隣接して配置され、画像を表示する表示領域と、該表示領域を外囲する非表示部とが設けられる複数の表示パネルと、
前記非表示部に設けられ、前記表示領域からの出射光を反射する反射面を有する反射部材とを含み、
前記反射部材は、隣接する各非表示部の一方に固着され、かつ各非表示部の他方に乗載されることを特徴とするマルチディスプレイ装置である。
さらに本発明は、一方の非表示部に固着された反射部材と他方の非表示部との間には、帯状のスペーサが設けられることを特徴とする。
さらに本発明は、一方の非表示部は、他方の非表示部よりも大きな幅を有することを特徴とする。
また本発明は、隣接して配置され、画像を表示する表示領域と、該表示領域を外囲する非表示部とが設けられる複数の表示パネルと、
前記非表示部に設けられ、前記表示領域からの出射光を反射する反射面を有する反射部材とを含み、
前記反射部材の反射面は、非表示部の位置毎に表示領域の面に対して異なった角度にて設けられることを特徴とするマルチディスプレイ装置である。
【００１６】
また本発明の反射部材は、三角柱状部材から成り、該三角柱状部材の前記非表示部から突出する２つの表面に前記反射面が形成されることを特徴とする。
【００１７】
さらに本発明の反射部材は、三角柱状部材から成り、該三角柱状部材の前記非表示部から突出する２つの表面に前記反射面が形成される反射部と、反射部に連なり、各表示パネルの互いに隣接する各側部によって挟持される挟持部とを有することを特徴とする。
【００１８】
さらに本発明の三角柱状部材は、非表示部に沿って平行に延びる３つの表面を有し、前記３つの表面のうちの１つの表面が前記非表示部に臨んで配置され、残余の２つの表面に前記反射面が形成されることを特徴とする。
【発明の効果】
【００２３】
本発明によれば、平面状に並んで配置される複数の表示パネルの各非表示部に、表示領域からの出射光を反射する反射面を有する反射部材が設けられるので、各表示パネルを組立ててマルチスクリーンを構築した状態での表示画面に、非表示部が線状に露呈することを防止し、表示品位を向上することができる。また、反射部材は反射面を有する機械的部品によって実現され、前記従来技術のような電子部品あるいは光ファイバなどの光学部品を用いないため、安価な製造コストで非表示部が露呈しない低消費電力のマルチディスプレイ装置を実現することができる。
また、反射部材が隣接する各非表示部に沿って延びる２つの表面に反射面が形成される三角柱状の部材から成り、隣接する各非表示部の一方に固着され、かつ各非表示部の他方に乗載されるので、各非表示部の近接／離反する方向の相対変位を許容することができる。
さらに本発明によれば、一方の非表示部に反射部材が固着され、反射部材と他方の非表示部との間にスペーサが設けられるので、各非表示部が共通な一平面からずれた状態であっても、反射部材を各非表示部上に設置することができる。
さらに本発明によれば、一方の非表示部は他方の非表示部よりも幅が大きいので、反射部材を前記一方の非表示部に対して高い強度で接合することができる。
また本発明によれば、平面状に並んで配置される複数の表示パネルの各非表示部に、表示領域からの出射光を反射する反射面を有する反射部材が設けられるので、各表示パネルを組立ててマルチスクリーンを構築した状態での表示画面に、非表示部が線状に露呈することを防止し、表示品位を向上することができる。また、反射部材は反射面を有する機械的部品によって実現され、前記従来技術のような電子部品あるいは光ファイバなどの光学部品を用いないため、安価な製造コストで非表示部が露呈しない低消費電力のマルチディスプレイ装置を実現することができる。
また、マルチディスプレイ装置の画面全体の中に額縁が部分的に露呈するという不具合が防がれ、違和感のない、高品位の表示画像を実現することができる。
【００２４】
また本発明によれば、反射部材は三角柱状の部材の各非表示部から突出する２つの表面に反射面が形成されるので、各非表示部の両側の表示画面の表示光を各反射面によってそれぞれ反射して、各非表示部が線状に露見されること防止し、各非表示部を介して隣接する各表示領域の表示画像を、外見上、実質的に連続した画像として視認することができる。
【００２５】
さらに本発明によれば、反射部材は非表示領域から突出する２つの表面に反射面が形成される三角柱状の反射部と、反射部に連なり、各表示パネルの互いに隣接する各側部によって挟持される挟持部とを有するので、反射部材を各表示パネルの各非表示部に正確に位置決めされた状態で容易かつ確実に設けることができる。
【図面の簡単な説明】
【００３１】
【図１】本発明の実施形態を示すマルチディスプレイ装置１０の断面図である。
【図２】図１のマルチディスプレイ装置１０を簡素化して示す斜視図である。
【図３】図２の切断面線ＩＩＩ−ＩＩＩから見た断面図である。
【図４】反射部材１５を示す一部の拡大斜視図である。
【図５】反射部材１５が隣接する２つの額縁１６に設置された状態を示す一部の斜視図である。
【図６】反射部材１５が各液晶パネル１１の外側の額縁１６に設置された状態を示す一部の斜視図である。
【図７】各液晶パネル１１の画像表示面と反射部材１５の反射面１４ａ，１４ｂとが成す角度θを示す図である。
【図８】各液晶パネル１１の画像表示面と反射部材１５ａの反射面１４ａとが成す角度θを示す図である。
【図９】マルチディスプレイ装置１０の表示状態を示す正面図であり、図９（１）は額縁１６に反射部材１５が設けられていないときの画面の表示状態を示し、図９（２）は額縁１６に反射部材１５を設けたときの画面の表示状態を示す図である。
【図１０】本発明の他の実施形態の反射部材１５ｂを具備するマルチディスプレイ装置１０ｂを示す一部の断面図である。
【図１１】本発明のさらに他の実施形態の反射部材１５ｃを具備するマルチディスプレイ装置１０ｃを示す一部の断面図である。
【図１２】本発明のさらに他の実施形態の反射部材１５ｄを具備するマルチディスプレイ装置１０ｄを示す一部の断面図である。
【図１３】本発明のさらに他の実施形態のマルチディスプレイ装置１０ｅを示す斜視図である。
【図１４】図１３の交差部Ａの拡大平面図である。
【図１５】図１４に示す反射部材１５の交差部Ａ側に配置される端部１１５の構造を示す図であり、図１５（１）は反射部材１５の端部１１５の平面図であり、図１５（２）は反射部材１５の端部１１５の側面図であり、図１５（３）は反射部材１５の端部１１５を図１５（２）の右側から見た正面図である。
【図１６】交差部Ａにおける各反射部材１５の接合形態を示す図であり、図１６（１）は交差部Ａにおける各反射部材１５の第１の接合形態を示す分解斜視図であり、図１６（２）は交差部Ａにおける各反射部材１５の第２の接合形態を示す分解斜視図である。
【図１７】本発明のさらに他の実施形態のマルチディスプレイ装置１０ｆに用いられる交差部用反射部材１１５およびその付近の平面図である。
【図１８】交差部用反射部材１１５を示す図であり、図１８（１）は交差部用反射部材１１５の平面図であり、図１８（２）は交差部用反射部材２１５の側面図であり、図１８（３）は交差部用反射部材１１５を図１８（１）の右側から見た正面図である。
【図１９】本発明のさらに他の実施形態のマルチディスプレイ装置１０ｇに用いられる交差部用反射部材３１５およびその付近の平面図である。
【図２０】交差部用反射部材３１５およびその付近の斜視図である。
【００３２】
【図２１】図２０の切断面線Ｃ１−Ｃ１における断面図である。
【図２２】図２０の切断面線Ｃ２−Ｃ２における断面図である。
【図２３】反射方向を設定した反射部材１５の実装状態を説明するための図である。
【発明を実施するための形態】
【００３３】
図１は本発明の実施形態のマルチディスプレイ装置１０を示す断面図であり、図２は図１に示すマルチディスプレイ装置１０の簡素化した斜視図であり、図３は図２の切断面線ＩＩＩ−ＩＩＩから見た断面図であり、図４は反射部材１５を示す一部の拡大斜視図である。なお、図２および図３は、図解を容易にするため、簡略化して示されている。
【００３４】
本実施形態において、マルチディスプレイ装置１０は、平面的に縦横に並んで配置される表示パネルとしての複数の液晶パネル１１と、各液晶パネル１１が装着されるシャーシ１２と、筐体１３と、各液晶パネル１１に表示面側（図１の上方）から装着され、各液晶パネル１１を各シャーシ１２に保持する非表示部である額縁１６と、各液晶パネル１１の互いに隣接する各額縁１６に設けられ、各額縁１６よりも面内側の表示領域の出射光を反射する反射面１４ａ，１４ｂを有する反射部材１５と、光学シート４０と、拡散板４１とを含んで構成される。
【００３５】
本実施形態において、マルチディスプレイ装置１０は、テレビジョン受像機またはパーソナルコンピュータなどにおいて、画像情報を出力することによって、画像を表示画面に表示する表示装置によって実現される。各液晶パネル１１は、平板状の形状に形成される。液晶パネル１１において、厚み方向Ｚの２つの向きを前面側Ｚ１および背面側Ｚ２とする。
【００３６】
液晶パネル１１は、前述の液晶表示素子によって、背後側からのバックライト２３の光によって画像を前面１８側に表示することができる。シャーシ１２は、液晶パネル１１の固定に用いられる基台であり、液晶パネル１１よりも背面１９側に配置される。
【００３７】
前記反射部材１５は、例えば三角柱状のアクリル樹脂から成り、隣接する各額縁１６に沿って延びる２つの略Ｖ字状の表面に反射面１４ａ，１４ｂが形成される三角柱状の反射部２８と、反射部２８に連なり、各液晶パネル１１の互いに隣接する額縁１６の各側部によって挟持される挟持部２９とを有する。各反射面１４ａ，１４ｂは、アルミニウム合金等の金属薄膜を前記反射部２８の２つの表面に対して、たとえば蒸着によって形成し、この金属薄膜を白鏡面仕上げ、鏡加工、メッキ処理などの各種の処理を行うことによって鏡面に加工されて形成される。
【００３８】
反射部２８と挟持部２９とは、たとえば反射部２８の底面から頂部に向って凹状の溝３４を長手方向に形成し、挟持部２９を嵌め込むことによって接続される。反射部２８は、断面が正三角形であり、各額縁１６の各液晶パネル１１の一辺を成す部分に全長にわたって延びる棒状体から成る。挟持部２９は、断面がＬ字状の長尺材であり、反射部２８の長さ全長にわたって延びていてもよく、また反射部２８の長さの全長より短い部材が複数接続されていてもよい。挟持部２９は、反射部２８と同様にアクリル樹脂から成ってもよく、あるいはポリ塩化ビニル、アルミニウム合金など、その他の素材から成ってもよい。このように挟持部２９の断面がＬ字状に形成されることによって、挟持部２９を両側から額縁１６によって挟持しかつ片側の枠体２１およびシャーシ１２によって背後側から係止して抜止めし、反射部材１５を各額縁１６上に確実に位置決めして保持することができる。また挟持部２９は、他の実施形態では、断面が逆Ｔ字状に形成されてもよい。挟持部２９の断面が逆Ｔ字状に形成されることによって、挟持部２９を両側から額縁１６によって挟持しかつ抜止めして、反射部材１５を各額縁１６上に確実に位置決めされた状態で抜止めし、安定に保持することができる。また挟持部２９は、他の実施形態では、断面がＩ字状に形成されてもよい。挟持部２９の断面がＩ字状に形成されることによって、マルチディスプレイを設置した後から、各液晶パネル１１の互いに隣接する額縁１６の各側部の間に挿入し、取付けることができる。
【００３９】
このような反射部材１５によって、各液晶パネル１１を組立ててマルチディスプレイ装置１０を構築した状態での表示画面に、非表示部である各額縁１６が線状に露呈することを防止し、表示品位を向上することができる。また、反射部材１５は、反射面１４ａ，１４ｂを有する機械的部品によって実現され、前記従来技術のような電子部品あるいは光ファイバなどの光学部品を用いないため、安価な製造コストで非表示部が露呈しない消費電力の少ないマルチディスプレイ装置１０を実現することができる。
【００４０】
また、反射部材１５は、隣接する各額縁１６に沿って延びる２つの表面に反射面１４ａ，１４ｂが形成される三角柱状の部材から成るので、各額縁１６の両側の表示画面の表示光を各反射面によってそれぞれ反射し、各額縁１６を介して隣接する各表示画面の表示を、外見上、実質的に連続した一連の画像として視認することができ、各額縁１６が線状に露見されること防止することができる。したがって、マルチディスプレイ装置１０を正面から見ると、上下、左右のそれぞれに額縁１６の近辺の画像が反射面１４ａ，１４ｂによって反射され、その反射像が目に入るために、額縁線を目立たなくすることができる。特に、本実施形態では、反射部材１５の反射部２８の断面が正三角形の三角柱状に形成され、額縁１６の線を隠蔽して目立たなくすることができる。
【００４１】
さらに、反射部材１５は、隣接する各額縁１６に沿って延びる２つの表面に反射面１４ａ，１４ｂが形成される三角柱状の反射部２８と、反射部２８に連なり、各液晶パネル１１の互いに隣接する各側部によって挟持される挟持部２９とを有するので、反射部材１５を各液晶パネル１１の各額縁１６に正確に位置決めされた状態で容易かつ確実に設けることができる。
【００４２】
次に、前記反射部材１５が設けられるマルチディスプレイ装置１０の構成について説明する。筐体１３は、液晶パネル１１の固定を補助する複数の部材から成り、分割可能に構成されることが好ましい。筐体１３は、枠体２１を含んで構成される。枠体２１は、乗載部分２２と、接触部分２４とを有する。乗載部分２２は、液晶パネル１１を厚み方向Ｚに見たときの液晶パネル１１の外周部の少なくとも一部に、背面１９側から対向する。接触部分２４は、外周部に対して液晶パネル１１の面方向外方から接触する。額縁１６は、液晶パネル１１の外周部に前面１８側から対向し、筐体１３とともに外周部を挟持する。これによって、液晶パネル１１は、額縁１６に対して前面１８側への相対的な変位が阻止される。
【００４３】
マルチディスプレイ装置１０において、液晶パネル１１の周囲を面方向外方から囲繞する額縁１６は、いわゆる狭額縁化されている。たとえば、マルチディスプレイシステムに用いる場合には、複数のマルチディスプレイ装置１０を一方向に沿って、またはマトリクス状に配置する。このとき、互いに隣接するマルチディスプレイ装置１０の境目に当たる部分、すなわち額縁１６は画像が表示されない非表示部となる。
【００４４】
前述の実施形態の反射部材１５は、非表示部として額縁１６を隠蔽する幅を有する構成について述べたが、本発明の他の実施形態では、額縁１６を隠蔽しかつ額縁１６よりも内側の液晶パネル１１の有効表示領域の外縁まで覆う幅に形成されてもよい。
【００４５】
各液晶パネル１１に表示される各画像は、本来、面方向に連続する画像であるが、額縁１６のＺ方向から見た図１において左右方向の幅が大きいと、非表示部の幅が大きくなってしまう。マルチディスプレイシステムに用いるようなマルチディスプレイ装置１０では、非表示部の幅をなるべく小さくするために、額縁１６の幅を小さくする狭額縁化が求められる。本実施形態において、マルチディスプレイ装置１０は、各液晶パネル１１の対角線方向に長さが６０インチで、縦横比率が９対１６の狭額縁化された液晶表示装置である。
【００４６】
前記バックライト２３は、液晶パネル１１よりも背面側Ｚ２に配置される複数の光源を含んで構成される。これらの光源は、シャーシ１２に取付けられ、光源から出射された光は、拡散板４１、光学シート４０を通過し、さらに液晶パネル１１を介してマルチディスプレイ装置１０よりも前面側Ｚ１に放射され、画像表示を行う表示光として使用される。光源としては、たとえば前述した冷陰極線管などの蛍光管、ＬＥＤ（Light Emitting 
Diode）などの各種発光部品を用いることができる。
【００４７】
マルチディスプレイ装置１０を、正面から背後側Ｚ２に見て、額縁１６および液晶パネル１１は長方形に形成される。この長方形は、マルチディスプレイ装置１０が画像を表示するときの通常の姿勢において、縦長に配置されても横長に配置されても構わないけれども、本実施形態では横長に載置される。
【００４８】
前記額縁１６は、厚み方向Ｚに垂直な平板状部分３６と、平板状部分３６に直角に連なり、液晶パネル１１をその面方向外方から囲繞する外周部３７とを含む。平板状部分３６は、枠体２１の段差部５７とともに液晶パネル１１を挟持する。
【００４９】
液晶パネル１１は、２枚の基板１１ａを含み、厚み方向Ｚに見て長方形の板状に形成される。液晶パネル１１は、ＴＦＴ（Thin Film Transistor）等のスイッチング素子を含み、２枚の基板の隙間には液晶が注入されている。液晶パネル１１は、背面側の光源からの光がバックライトとして照射されることによって、表示機能を発揮する透過型液晶表示装置である。前記２枚の基板には、液晶パネル１１における各画素の駆動制御用のドライバ（ソースドライバ）および配線が設けられている。
【００５０】
筐体１３は、液晶パネル１１よりも背面側、かつシャーシ１２よりも前面側に配置され、シャーシ１２に取付けられる。筐体１３の構造の詳細については、後述する。筐体１３には、光学シート４０、拡散板４１、バックライト２３および反射シート４３が配置される。バックライト２３の光源は、たとえば、複数本の蛍光管を含み、各蛍光管は、図示しないランプホルダによってシャーシ１２に取付けられる。蛍光管よりも前面側Ｚ１には、拡散板４１が配置され、拡散板４１よりも前面側Ｚ１には前記光学シート４０が配置される。拡散板４１および光学シート４０は、液晶パネル１１に平行に配置される。
【００５１】
拡散板４１は、蛍光管から発せられた光を、面方向に拡散することによって、輝度が局所的に偏ることを防止する。光学シート４０は、複数の光学シートで構成され、本実施形態では、２枚の光学シート４０ａおよび光学シート４０ｂによって構成される。光学シート４０は、表示画質を向上させるための種々の機能が付与された機能性樹脂シートからなる。たとえば、拡散板４１を介して背面側から到達した光の進行の向きを、前面側に向ける機能を有する。
【００５２】
拡散板４１では、輝度が面方向に偏ることを防ぐために、光の進行方向は、ベクトル成分として、面方向の成分を多く含む。これに対し光学シート４０は、面方向のベクトル成分を多く含む光の進行方向を、厚み方向Ｚの成分を多く含む光の進行方向に変換する。具体的には、光学シート４０は、レンズまたはプリズム状に形成される部分が面方向に多数並んで形成され、これによって、厚み方向Ｚに進行する光の拡散度を小さくする。したがって、マルチディスプレイ装置１０による表示において、輝度を上昇させることができる。
【００５３】
シャーシ１２は、厚み方向Ｚに垂直な平板状の底部３９と、底部３９に連なり底部３９から立ち上がる側壁部４４と、側壁部４４のうち底部３９が連なる部分とは反対側の部分に連なり底部３９と平行に広がる平板状のフランジ部４５とを含んで形成される。底部３９は、厚み方向Ｚに見て長方形に形成される。
【００５４】
反射シート４３は、底部３９の前面側の表面の少なくとも一部と、フランジ部４５とに接触して配置される。反射シート４３は、側壁部４４に対しては接触して配置されてもよく、また接触せず配置されてもよい。反射シート４３の少なくとも前面側に臨む表面は、光源からの光に対して高い反射率、理想的には１００％の反射率を有する。
【００５５】
第１周壁部６２の前面側Ｚ１の領域には、前面側Ｚ１に臨み、液晶パネル１１の外周部に対向する乗載部分２２と、乗載部分２２よりも面方向外方において前面側Ｚ１に突出し、液晶パネル１１に面方向外方から接触する接触部分２４とが形成される。この乗載部分２２は、液晶パネル１１の外周部を額縁１６の平板状部分３６とともに挟持する部分である。したがって、乗載部分２２は、液晶パネル１１の外周部に確実に対向する必要があり、また乗載部分２２は、面方向の幅を細く設定するほど、狭額縁化の実現を容易にすることができる。
【００５６】
液晶パネル１１の各辺を成す外周部を支持する乗載部分２２について、厚み方向Ｚおよび各辺の延びるに垂直な方向における乗載部分２２の寸法を、「幅寸法ｂ１」と称する。マルチディスプレイ装置１０の一例として、たとえば６０インチのマルチディスプレイ装置１０の場合、液晶パネル１１のうち画像の表示領域は、およそ長辺方向Ｘの寸法が１３３ｃｍで、短辺方向Ｙの寸法がおよそ７５ｃｍである。この場合、乗載部分２２の幅寸法ｂ１は、３ｍｍ程度に設定される。
【００５７】
枠体２１は、光学シート４０および拡散板４１の各外周部が乗載される段差部５７と、段差部５７の外周部から背後側Ｚ２に連なり、シャーシ１２の側壁部４４を内周面側から覆い、シャーシ１２に対してビスなどによって連結される第２周壁部５８と、段差部５７から前面側Ｚ１に連なって立ち上がる第１周壁部６２とを含む。
【００５８】
枠体２１において、第２周壁部５８は、液晶パネル１１の厚み方向Ｚに平行に形成され、段差部５７のうち、液晶パネル１１に関する面方向内方の端部に連なり、背面側Ｚ２に延びて形成される。
【００５９】
第１周壁部６２と第２周壁部５８とは、液晶パネル１１の厚み方向Ｚに平行に形成され、段差部５７のうち、液晶パネル１１に関する面方向外方の端部に連なり、前面側に延びて形成される。第１周壁部６２の前面側Ｚ１には、前面側Ｚ１に臨み、液晶パネル１１の外周部に対向する乗載部分２２と、乗載部分２２よりも面方向外方において前面側Ｚ１に突出し、液晶パネル１１の外縁部に面方向外方から接触する接触部分２４とが形成される。枠体２１の乗載部分２２は、液晶パネル１１の外周部を額縁１６の平板状部分３６と協働して挟持する部分である。したがって、乗載部分２２は、液晶パネル１１の外周部に確実に対向させて安定に支持し、狭額縁化を図ることができる幅寸法ｂ１に選ばれる。
【００６０】
液晶パネル１１の厚み方向Ｚにおいて、接触部分２４の幅寸法ｂ２は、液晶パネル１１の厚み寸法Ｔに対してほぼ同一でかつわずかに小さく設定される。これによって、額縁１６の平板状部材が液晶パネル１１の外周部にから接触し、乗載部分２２とともに液晶パネル１１を挟持するときに、液晶パネル１１が厚み方向Ｚにがたつくことを防止することができる。
【００６１】
図５は反射部材１５が隣接する２つの額縁１６に設置された状態を示す一部の斜視図であり、図６は反射部材１５が各液晶パネル１１の外側の額縁１６に設置された状態を示す一部の斜視図である。前述のマルチディスプレイ装置１０において、前記反射部材１５は、図５に示すように、同一面上で隣接する２つの液晶パネル１１の額縁１６に設置されるとともに、マルチディスプレイ装置１０の周縁部、すなわち面方向外方に配置される額縁１６には、図６に示すように、表示画面に臨む斜辺に対応する片側の表面だけに反射面１４ａを有する断面が直角三角形状の反射部材１５ａが、たとえば両面粘着テープ３１によって接着されて設けられる。各反射部材１５，１５ａの各反射面１４ａ，１４ｂは、表示画面の額縁１６近傍の反射対象領域３２から矢符Ａ１で示すように放射される光を矢符Ａ２で示すように反射するため、額縁１６は正面から表示画面を視認する看者には認識されず、実質的に額縁１６を隠蔽し、マルチディスプレイ装置１０全体としての表示画像の額縁１６による表示品位の低下を防止することができる。
【００６２】
このようなマルチディスプレイ装置１０の周縁部の額縁１６に設けられる反射部材１５ａは、本発明の他の実施形態においては、表示上の支障がない場合には、省略されてもよい。
【００６３】
図７は各液晶パネル１１の画像表示面と反射部材１５の反射面１４ａ，１４ｂとが成す角度θを示す図であり、図８は各液晶パネル１の画像表示面と反射部材１５ａの反射面１４ａとが成す角度θを示す図である。反射部材１５の反射面１４ａ，１４ｂ（総称する場合には、添え字ａ，ｂは省略する）の表示画面に対する角度θの範囲は、４５°≦θ≦９０°に選ばれる。角度θは、大きければ大きいほど、額縁１６近辺の表示光を反射し易いが、あまり角度θを大きくすると、反射部２８の表示画面からの突出高さＨが額縁１６に接着される底面の幅寸法に比べて大きくなり、幅方向（図７の左右方向）に作用する外力などによる曲げ荷重に対して構造上弱くなるため、角度θは６０°〜８０°が好適である。たとえば、反射面１４が表示画面に対して角度θが６０°であるとき、額縁１６の幅ｂ３の約２倍の幅寸法ｂ４（ｂ４≒２・ｂ３）の反射対象領域３２の表示画像を、約１／２サイズで表示することができる。したがって反射面１４ａ，１４ｂに映った反射画像は、反射対象領域３２の表示画像に色調や輝度などの表示特性が類似しており、額縁１６が露出している場合に比べて、各液晶パネル１１の表示画面間に額縁１６が線状に露呈することが防がれる。
【００６４】
なお、額縁１６上においては、反転された映像、すなわちマルチディスプレイに表示される映像に対して、反射部２８の長手方向が上下になるように取付けた場合は左右反転像、反射部２８の長手方向が上下になるように取付けた場合は上下反転像が表示されるが、各液晶パネル１１の大形画面化および狭額縁化によって、額縁１６のサイズｂ３は、各液晶パネル１１の画面全体のサイズに比較して非常に微細な範囲であるため、反転されていても目立たない。また、文字などの細かい表示の場合、額縁線上にかからないよう、すなわち額縁１６が反射面１４に移り込まないように配置することによって、反転表示を防止することが可能である。
【００６５】
図９はマルチディスプレイ装置１０の表示状態を示す正面図であり、図９（１）は額縁１６に反射部材１５が設けられていないときの画面の表示状態を示し、図９（２）は額縁１６に反射部材１５を設けたときの画面の表示状態を示す図である。前述のマルチディスプレイ装置１０は、図９（２）から明らかなように、反射部材１５が額縁１６に設けられることによって、互いに隣接する各液晶パネル１１間および各液晶パネル１１の外周部に配置される各額縁１６が、図９（１）のような額縁線が認識されることを防ぎ、画像の高い表示品位を実現することができる。
【００６６】
図１０は本発明の他の実施形態の反射部材１５ｂを具備するマルチディスプレイ装置１０を示す一部の断面図である。なお、前述の各実施形態と対応する部分には同一の参照符を付す。本実施形態では、反射部材１５ｂは、隣接する各額縁１６に沿って延びる２つの表面に反射面１４ａ，１４ｂが形成される三角柱状の部材から成り、かつ隣接する各額縁１６に両面粘着テープ３０ｂによって固着される。このような構成によって、反射部材１５ｂを容易に各額縁１６へ高い強度で取付けることができる。
【００６７】
図１１は本発明のさらに他の実施形態の反射部材１５ｃを具備するマルチディスプレイ装置１０ｃを示す一部の断面図である。なお、前述の各実施形態と対応する部分には同一の参照符を付す。本実施形態では、反射部材１５ｃは、隣接する各額縁１６に沿って延びる２つの表面に反射面１４ａ，１４ｂが形成される三角柱状の部材から成り、隣接する各額縁１６の一方に両面粘着テープ３０ｃによって固着され、かつ各非表示部の他方に帯状にスペーサである合成樹脂製のシート体３０ｄを介して乗載されるので、各非表示部の近接／離反する方向の相対変位しても、反射部材１５ｃは一方の額縁１６に両面粘着テープ３０ｃによって固着され、かつ他方の額縁１６にシート体３０ｄを介して乗載されるので、反射部材１５が固着されている側の額縁１６に追従して移動し、他方の額縁１６に固着されたシート体３０ｄ上を摺動することができ、前記相対変位を許容することができる。一方の非表示部は他方の非表示部よりも幅が大きいので、反射部材１５ｃを前記一方の非表示部に対して高い強度で接合することができる。
【００６８】
図１２は本発明のさらに他の実施形態の反射部材１５ｄを具備するマルチディスプレイ装置１０ｄを示す一部の断面図である。なお、前述の各実施形態と対応する部分には同一の参照符を付す。本実施形態では、反射部材１５ｄが前述の額縁１６および枠体２１を兼ねた構造体として一体に形成される。これによってもまた、前述の各実施形態と同様に額縁１６が線として認識されることを抑制し、または防止することができるとともに、額縁１６と反射部材１５とが一体成形によって同時に製造することができ、製造コストの削減を図ることができる。
【００６９】
図１３は本発明のさらに他の実施形態のマルチディスプレイ装置１０ｅを示す斜視図であり、図１４は図１３の交差部Ａの拡大平面図である。図１５は図１４に示す反射部材１５の交差部Ａ側に配置される端部１１５の構造を示す図であり、図１５（１）は反射部材１５の端部１１５の平面図であり、図１５（２）は反射部材１５の端部１１５の側面図であり、図１５（３）は反射部材１５の端部１１５を図１５（２）の右側から見た正面図である。なお、本実施形態の反射部材１５の端部１１５の構成は、前述の各実施形態の反射部材１５，１５ａ〜１５ｄの全てに適用可能であるため、反射部材１５について説明し、残余の反射部材１５ａ〜１５ｄについては重複を避けて説明は省略する。
【００７０】
複数（本実施形態では１６）の液晶パネル１１が各画像表示面にて共通な一平面を成すようにマトリクス状に配置されたマルチディスプレイ装置１０において、前記反射部材１５は各額縁１６上に前述のように搭載され、複数の交差部Ａを有する。各交差部Ａでは、各反射部材１５の端部１１５が隙間なく接触した状態とするため、交差部Ａにおける各画像表示面を含む共通な仮想一表面に垂直な中心軸線Ｌに関して軸対称または中心軸線Ｌを含む仮想一平面に関して面対称に、三角錐状に形成される。
【００７１】
図１６は交差部Ａにおける各反射部材１５の接合形態を示す図であり、図１６（１）は交差部Ａにおける各反射部材１５の第１の接合形態を示す分解斜視図であり、図１６（２）は交差部Ａにおける各反射部材１５の第２の接合形態を示す分解斜視図である。前述の各反射部材１５は、交差部Ａにおいて、図１６（１）に示す第１の接合形態では、前記一平面上において一方向に少なくとも交差部Ａにおいて連続する長尺の反射部材１５を配置し、一方向に直交する他方向に短尺の反射部材１５が配置され、該短尺の反射部材１５の各端部１１５は、三角錐状に形成されている。また第２の接合形態では、図１６（２）に示すように、交差部Ａに関して軸対称に４方の反射部材１５の各端部１１５が三角錐状にそれぞれ形成されている。
【００７２】
図１７は本発明のさらに他の実施形態のマルチディスプレイ装置１０ｆに用いられる交差部用反射部材１１５およびその付近の平面図であり、図１８は交差部用反射部材１１５を示す図であり、図１８（１）は交差部用反射部材１１５の平面図であり、図１８（２）は交差部用反射部材２１５の側面図であり、図１８（３）は交差部用反射部材１１５を図１８（１）の右側から見た正面図である。本実施形態では、前述の軸対称に配置される４本の反射部材１５の各端部１１５を一体的に形成した交差部用反射部材２１５が用いられる。この交差部用反射部材２１５は、前記端部１１５と同様に三角錐状に形成され、中心軸線Ｌに関して反対側の各端部はそれに連なって配置される直線状の各反射部材１５の長手方向に垂直な端面が形成される。
【００７３】
このような交差部用反射部材２１５を用いることによって、交差部Ａにおいて、直線状の各反射部材１５に対して容易に位置決めして配置することができ、設置作業の容易化を図ることができる。
【００７４】
図１９は本発明のさらに他の実施形態のマルチディスプレイ装置１０ｇに用いられる交差部用反射部材３１５およびその付近の平面図であり、図２０は交差部用反射部材３１５およびその付近の斜視図であり、図２１は図２０の切断面線Ｃ１−Ｃ１における断面図であり、図２２は図２０の切断面線Ｃ２−Ｃ２における断面図である。本発明のさらに他の実施形態のマルチディスプレイ装置１０ｆでは、前記交差部用反射部材２１５に代えて、各端部１１５間の境界部分が中心軸線Ｌに向って凸に湾曲した曲面３１６とされる。
【００７５】
このような交差部用反射部材３１５は、各端部１１５間の境界部分が曲面３１６で形成されるので、略Ｖ字状の折れ線がなく、この折れ線が反射像中に露呈せず、表示品位をさらに向上することができる。このことは、図２１に示すように、各端部１１５の軸直角断面における三角形の頂角αが４５°未満、たとえば４０°程度の鋭角の二等辺三角形であって、各端部１１５間の略Ｖ字状の境界部分のくびれも大きい場合に、特に有利に実施することができる。
【００７６】
本発明のさらに他の実施形態として、反射部材の反射面は、その頂角αが非表示部である額縁１６の位置毎に、表示領域の画像表示面に対して各額縁１６が露呈しないように異なった角度にて設けられてもよい。これによってマルチディスプレイ装置の画面全体の中に額縁が部分的に露呈するという不具合が防がれ、画面全体にわたって額縁の部分的に露呈することによる違和感のない、高品位の表示画像を実現することができる。
【００７７】
前述の図１〜図２２に示す各実施形態において、マルチディスプレイ装置１０，１０ｂ〜１０ｇのすべての非表示部である額縁１６に、図２３に示すように、看者の視点Ｂが最も集まりやすい位置を想定して反射方向を設定した反射部材１５を実装することによって、それぞれの反射部材１５が表示画面からの光を反射し、額縁１６が露呈して表示品位が低下することを可及的に少なくすることができる。
【符号の説明】
【００７８】
１０，１０ｂ〜１０ｇ  マルチディスプレイ装置
１１  液晶パネル
１２  シャーシ
１３  筐体
１４，１４ａ，１４ｂ  反射面
１５，１５ａ，１５ｂ，１５ｃ，１５ｄ  反射部材
１６  額縁
１８  前面
１９  背面
２１  枠体
２８  反射部
２９  挟持部
３６  平板状部分
３７  外周部
３９  底部
４０  光学シート
４１  拡散板
４４  側壁部
Ｚ１  前面側
Ｚ２  背面側
【図１】
0005622498.tif 000002
【図２】
0005622498.tif 000003
【図３】
0005622498.tif 000004
【図４】
0005622498.tif 000005
【図５】
0005622498.tif 000006
【図６】
0005622498.tif 000007
【図７】
0005622498.tif 000008
【図８】
0005622498.tif 000009
【図９】
0005622498.tif 000010
【図１０】
0005622498.tif 000011
【図１１】
0005622498.tif 000012
【図１２】
0005622498.tif 000013
【図１３】
0005622498.tif 000014
【図１４】
0005622498.tif 000015
【図１５】
0005622498.tif 000016
【図１６】
0005622498.tif 000017
【図１７】
0005622498.tif 000018
【図１８】
0005622498.tif 000019
【図１９】
0005622498.tif 000020
【図２０】
0005622498.tif 000021
【図２１】
0005622498.tif 000022
【図２２】
0005622498.tif 000023
【図２３】
0005622498.tif 000024